(57)【要約】      （修正有）【課題】平時では船舶の航行を可能にし、津波、洪水時には河底に堆積する土砂の有無にかかわらず、確実に増水を閉塞できる開き扉の水門を提供する。【解決手段】開き扉の水門の構造において扉８を閉じる方向に回転させるとき扉の下端９が河底６に堆積した土砂７に触れて回転をさまたげられないようにするために、その扉をその土砂堆積の予想される高さより高い位置に取り付け、一方河底６に水平に横たわるように設置した水門の幅と同長の起上り長尺板１３を、その支持軸１８を支点として約９０°回転してその起上り長尺板の片側の敷居部１４を上に持上げて、これに扉の下端９を突当てるようにして閉塞する。【選択図】図１
2016173020.tif 000002
【特許請求の範囲】
【請求項１】
片開きの扉（１）、左右の主軸（１０）に支持された両開きの扉（２）及び中央軸（１１）に支持された両翼形の両開きの扉（３）の水門の構造において、扉（８）を閉じる方向に回転させるとき扉の下端（９）が河底（６）に堆積した土砂（７）に触れて回転をさまたげられないようにするために、その扉をその土砂堆積の予想される高さより高い位置に取り付け、一方河底（６）に水平に横たわるように設置した水門の幅と同長の起上り長尺板（１３）を、その支持軸（１８）を支点として約９０°回転してその起上り長尺板の片端の敷居部（１４）を上に持上げて停止させた後、扉を閉じる方向に回転させていき、その下端（９）を敷居部に突当て閉塞するようにした開き扉の水門の構造。
【請求項２】
請求項１に記載の開き扉の水門の構造において、河底（６）に水平に横たわるよう設置した起上り長尺板（１３）の内部にその全長にわたり送水管路（２２）を通し、そしてこれより起上り長尺板の上面に向い多数の噴出孔（２３）を設けてこの起上り長尺板を起上げるに先立ち、高圧水を噴出させて起上り長尺板上の堆積土砂（７）を流出させるようにした開き扉の水門の構造。
【発明の詳細な説明】
【技術分野】
【０００１】  河川の増水等を防御する開き扉の水門。
【背景技術】
【０００２】  河川を閉塞する水門としては通常引上げゲート式の水門が使用されることが多いが、水路上部に構造物を設ける必要があるため船舶の航行、周辺の景観からみて満足できる状況ではない、しかしこれに代わる開き扉の水門も河川の堆積土砂等の問題があり、その開発が遅れている状況である。
【発明の開示】
【発明が解決しようとする課題】
【０００３】  平時では船舶の航行を可能にし、津波、洪水時には河底に堆積する土砂の有無にかかわらず確実に増水を閉塞できる開き扉の水門を開発しようとする。
【課題を解決するための手段】
【０００４】  本発明は図１に示す片開きの扉１、図１０に示すような左右の主軸１０に支持された両開きの扉２及び図１１に示すような中央軸１１に支持された両翼形の両開きの扉３の水門の構造において、扉８を閉じる方向に回転させるとき扉の下端９が河底６に堆積した土砂７に触れて回転をさまたげられないようにするために、その扉をその土砂堆積の予想される高さより高い位置に取り付け、一方河底６に水平に横たわるように設置した水門の幅と同長の起上り長尺板１３を、その支持軸１８を支点として約９０°回転してその起上り長尺板の片側の敷居部１４を上に持上げて停止させた後、扉を閉じる方向に回転させていき、その下端９を敷居部に突当て閉塞するようにする。【０００５】  河底６に水平に横たわるよう設置した起上り長尺板１３の内部にその全長にわたり送水管路２２を通し、そしてこれより起上り長尺板の上面に向い多数の噴出孔２３を設けてこの起上り長尺板を起上げるに先立ち、高圧水を噴出させて起上り長尺板の上の堆積土砂７を流出させるようにする。
【発明の効果】
【０００６】  本発明の開き扉の水門によって河底に多少の土砂が堆積されるおそれのある河川においても確実に増水を閉塞することが可能になる、河川の上部に構造物を設ける必要のないため船舶の航行には支障はない、特に図１１に示した両翼型の両開きの扉を使用する場合は、広い河幅の河の閉塞も可能になり、河口に押寄せる津波をも防ぐことが可能になる、その上その建設費も引上げゲート式の水門より低く見積もることが可能である。
【図面の簡単な説明】
【０００７】
【図１】本発明の実施形態の一例として、片開き扉の水門の開扉時の正面図
【図２】図１の平面図
【図３】図１のＡ−Ａ断面図
【図４】本発明の実施形態の一例として、片開き扉の水門の閉扉時の正面図
【図５】図４の平面図
【図６】図４のＢ−Ｂ断面図
【図７】本発明の実施形態の一例として、起上り長尺板の正面図
【図８】図７の平面図
【図９】図７のＣ−Ｃ断面図
【図１０】本発明の実施形態の一例として、左右の主軸に支持された両開き扉の水門の平面図
【図１１】本発明の実施形態の一例として、中央軸に支持された両翼形の両開き扉の水門の平面図
【発明を実施するための形態】
【０００８】  本発明は片開きの扉１、左右の主軸１０に支持された両開きの扉２及び中央軸１１に支持された両翼形の両開きの扉３の水門の構造において、扉８を閉じる方向に回転させるとき扉の下端９が河底６に堆積した土砂７に触れて回転をさまたげられないようにするために、その扉をその土砂堆積の予想される高さより高い位置に取り付けておく。
【０００９】  一方河底６に水平に横たわるように設置した水門の幅と同長の起上り長尺板１３を、その敷居部１４に取付けたワイヤーロープ１７等を起上り長尺板用減速機付モーター１５に取付けた巻上プーリー１６により、その支持軸１８を支点として起上り長尺板の敷居部１４を真上になるように持上げて停止させる。
【００１０】  次に扉の主軸１０に直結した扉を開閉用減速機付モーター１２を始動して扉を回転させていき、その下端９を敷居部に突当てて停止させる、このとき起上り長尺板の敷居部１４は強く押されるため、起上り長尺板用掛金２０により補強することが望ましい。
【００１１】  河底６に水平に横たわるよう設置した起上り長尺板１３の内部にその全長にわたり送水管路２２を通し、そしてこれより起上り長尺板の上面に向い多数の噴出孔（２３）を設けてこの起上り長尺板を起上げるに先立ち、高圧水を噴出させて起上り長尺板上の堆積土砂（７）を流出させるようにする
【符号の説明】
【００１２】  １・・・片開きの水門                        ２・・・両開きの水門
３・・・両翼形の両開き扉の水門              ４・・・堤防のコンクリート壁
５・・・河面                                ６・・・河底
７・・・河底の堆積土砂                      ８・・・扉
９・・・扉の下端                          １０・・・扉の主軸
１１・・・扉の中央軸                        １２・・・扉開閉用減速機付モーター
１３・・・起上り長尺板                      １４・・・起上り長尺板の敷居部
１５・・・起上り長尺板用減速機付モーター    １６・・・巻上プーリー
１７・・・ワイヤーロープ                    １８・・・起上り長尺板用支持軸
１９・・・起上り長尺板用支持台              ２０・・・起上り長尺板用掛金
２１・・・掛金用台                          ２２・・・起上り長尺板の送水管路
２３・・・送水管路の噴出孔
【図１】
2016173020.tif 000003
【図２】
2016173020.tif 000004
【図３】
2016173020.tif 000005
【図４】
2016173020.tif 000006
【図５】
2016173020.tif 000007
【図６】
2016173020.tif 000008
【図７】
2016173020.tif 000009
【図８】
2016173020.tif 000010
【図９】
2016173020.tif 000011
【図１０】
2016173020.tif 000012
【図１１】
2016173020.tif 000013